(57)【要約】プロセッサ・ベースのシステムにおける、プロセッサおよび光インターフェースを含む中央コンポーネント。該光インターフェースは、プロセッサ・ベースのシステムの外部コンポーネントの光インターフェースに、光信号としてエンコードされたデータを送信し、該外部コンポーネントの光インターフェースから光信号としてエンコードされたデータを受信する。外部コンポーネントは、外部周辺機器、ドッキング・ステーションおよびポート・レプリケータのうちの一つまたは複数である。
2008525922.tif 000002
【特許請求の範囲】
【請求項１】
プロセッサ・ベースのシステムの第一のコンポーネントであって、
プロセッサと、
前記プロセッサ・ベースのシステムの第二のコンポーネントの第二の光インターフェースに、光信号としてエンコードされたデータを送信し、
前記第二のコンポーネントの第二の光インターフェースから光信号としてエンコードされたデータを受信する、
第一の光インターフェースとを有する、
第一のコンポーネントを有しており、前記第二のコンポーネントは外部周辺機器、ドッキング・ステーションおよびポート・レプリケータのうちの一つまたは複数を含む、装置。
【請求項２】
前記第一および第二の光インターフェースがそれぞれソケットを有しており、該ソケットは：
光送信機；
光受信器；および
光トランシーバ
のうちの少なくとも一つを有する、請求項１記載の装置。
【請求項３】
前記光信号がさらに、
垂直空洞表面発光レーザー（VCSEL）および
発光ダイオード
のうち一つまたは複数から送信され、
PINダイオードおよび
アバランシェフォトダイオード（APD）検出器
のうち一つまたは複数によって受信される
光信号を含む、請求項２記載の装置。
【請求項４】
前記コンポーネント間で光信号としてエンコードされたデータを運ぶために、一端では前記第一のソケットにプラグによって光学的に結合され、他端では前記第二のソケットにプラグによって光学的に結合された光ファイバーをさらに有する、請求項３記載の装置。
【請求項５】
前記第二のコンポーネントがさらに外部ディスプレイを含む、請求項４記載の装置。
【請求項６】
前記ディスプレイへの電力および
前記コンポーネント間の電気データリンク
のうち少なくとも一つを提供するために前記第一のコンポーネントと前記第二のコンポーネントとの間の電気的リンクをさらに有する、請求項５記載の装置。
【請求項７】
前記第二のコンポーネントがさらに大容量記憶装置を含む、請求項４記載の装置。
【請求項８】
前記第一および第二の光インターフェースが、機械的および光学的に互いに接続されたときに前記インターフェース間で光信号としてエンコードされたデータを運ぶための光路を形成する、機械的および光学的に合う一対のコネクタを有している、請求項３記載の装置。
【請求項９】
前記第一のコンポーネントがラップトップ・コンピュータであり、前記第二のコンポーネントが該ラップトップ・コンピュータのためのドッキング・ステーションである、請求項８記載の装置。
【請求項１０】
前記第一のコンポーネントがハンドヘルド型コンピューティング装置であり、前記第二のコンポーネントが該ハンドヘルド型コンピューティング装置のためのドッキング・ステーションである、請求項８記載の装置。
【請求項１１】
プロセッサ・ベースのシステムの第一のコンポーネントであって、
外部周辺機器、ドッキング・ステーションおよびポート・レプリケータのうちの一つまたは複数と、
前記プロセッサ・ベースのシステムの第二のコンポーネントの第二の光インターフェースに、光信号としてエンコードされたデータを送信し、
前記第二のコンポーネントの第二の光インターフェースから光信号としてエンコードされたデータを受信する、
第一の光インターフェースとを有しており、前記第二のコンポーネントはプロセッサを有する、装置。
【請求項１２】
前記第一および第二の光インターフェースがそれぞれソケットを有しており、該ソケットは：
光送信機；
光受信器；および
光トランシーバ
のうちの少なくとも一つを有する、請求項１１記載の装置。
【請求項１３】
前記光信号がさらに、
垂直空洞表面発光レーザー（VCSEL）および
発光ダイオード
のうち一つまたは複数から送信され、
PINダイオードおよび
アバランシェフォトダイオード（APD）検出器
のうち一つまたは複数によって受信される
光信号を含む、請求項１２記載の装置。
【請求項１４】
一端では前記第一のソケットにプラグによって光学的に結合され、他端では前記第二のソケットにプラグによって光学的に結合された光ファイバーをさらに有する、請求項１３記載の装置。
【請求項１５】
前記第二のコンポーネントがさらに外部ディスプレイを含む、請求項１４記載の装置。
【請求項１６】
前記ディスプレイへの電力および
前記コンポーネント間の電気データリンク
のうち少なくとも一つを提供するために前記第一のコンポーネントと前記第二のコンポーネントとの間の電気的リンクをさらに有する、請求項１５記載の装置。
【請求項１７】
前記第一のコンポーネントがさらに大容量記憶装置を含む、請求項１４記載の装置。
【請求項１８】
前記第一および第二の光インターフェースが、機械的および光学的に互いに接続されたときに前記インターフェース間で光信号としてエンコードされたデータを運ぶための光路を形成する、機械的および光学的に合う一対のコネクタを有している、請求項１３記載の装置。
【請求項１９】
前記第一のコンポーネントがラップトップ・コンピュータのためのドッキング・ステーションであり、前記第二のコンポーネントが該ラップトップ・コンピュータである、請求項１８記載の装置。
【請求項２０】
前記第一のコンポーネントがハンドヘルド型コンピューティング装置のためのドッキング・ステーションであり、前記第二のコンポーネントが該ハンドヘルド型コンピューティング装置である、請求項１８記載の装置。  
【請求項２１】
第一のコンポーネントと第二のコンポーネントを有するシステムであって、
前記第一のコンポーネントは、
プロセッサと、
当該システムの第二のコンポーネントの第二の光インターフェースに、光信号としてエンコードされたデータを送信し、
前記第二のコンポーネントの第二の光インターフェースから光信号としてエンコードされたデータを受信する、
前記第一のコンポーネントの第一の光インターフェース、
とを有しており、
前記第二のコンポーネントは外部周辺機器、ドッキング・ステーションおよびポート・レプリケータのうちの一つまたは複数を有する、システム。
【請求項２２】
前記第一および第二の光インターフェースがそれぞれソケットを有しており、該ソケットは：
光送信機；
光受信器；および
光トランシーバ
のうちの少なくとも一つを有する、請求項２１記載のシステム。
【請求項２３】
前記光信号がさらに、
垂直空洞表面発光レーザー（VCSEL）および
発光ダイオード
のうち一つまたは複数から送信され、
PINダイオードおよび
アバランシェフォトダイオード（APD）検出器
のうち一つまたは複数によって受信される
光信号を含む、請求項２２記載のシステム。
【請求項２４】
前記コンポーネント間で光信号としてエンコードされたデータを運ぶために、一端では前記第一のソケットにプラグによって光学的に結合され、他端では前記第二のソケットにプラグによって光学的に結合された光ファイバーをさらに有する、請求項２３記載のシステム。
【請求項２５】
前記第二のコンポーネントがさらに外部ディスプレイを含む、請求項２４記載のシステム。
【請求項２６】
前記ディスプレイへの電力および
前記コンポーネント間の電気データリンク
のうち少なくとも一つを提供するために前記第一のコンポーネントと前記第二のコンポーネントとの間の電気的リンクをさらに有する、請求項２５記載のシステム。
【請求項２７】
前記第二のコンポーネントがさらに大容量記憶装置を含む、請求項２４記載のシステム。
【請求項２８】
前記第一および第二の光インターフェースが、機械的および光学的に互いに接続されたときに前記インターフェース間で光信号としてエンコードされたデータを運ぶための光路を形成する、機械的および光学的に合う一対のコネクタを有している、請求項２３記載のシステム。
【請求項２９】
前記第一のコンポーネントがラップトップ・コンピュータであり、前記第二のコンポーネントが該ラップトップ・コンピュータのためのドッキング・ステーションである、請求項２８記載のシステム。
【請求項３０】
動的ランダムアクセスメモリ（DRAM）を更に有する、請求項２１記載のシステム。
【発明の詳細な説明】
【背景技術】
【０００１】
ノートブック・コンピュータとも呼ばれるラップトップ・コンピュータ（ラップトップ）ならびに携帯情報端末（PDA）または「スマート」携帯電話（PDAと携帯電話の機能を統合した装置）のようなハンドヘルド型のコンピュータを含む、可搬型のプロセッサ・ベースのシステムがポピュラーである。そのような装置は時に、可搬性のために機能をトレードオフするよう設計される。たとえば、ラップトップ・コンピュータは統合されたCDまたはDVD読み取り器は含まず、外部バスのケーブル・コネクタを使って、あるいはドッキング・ステーションまたはポート・レプリケータを介してそのような読み取り器への接続を許容することがある。同様に、ラップトップのディスプレイは一般に大きさが小さく、明るさおよび解像度が制限されていることがありうるが、ラップトップは、該ラップトップ上の、たとえばデジタル・ディスプレイ・ワーキング・グループ（DDWG）から入手できる『DVI  1.0仕様書』で規定されているデジタル・ビデオ・インターフェース（DVI）コネクタまたは当技術分野で周知のビデオ・グラフィクス・アレイ（VGA）コネクタならびにビデオ信号ケーブルを使って、外部ディスプレイに接続されることもある。知られているように、ドッキング・ステーションとは、ラップトップと機械的かつ電気的に結合して、たとえば追加的な外部ポートおよびリムーバブル・メディアのドライブを含む追加的な機能を提供する装置である。ドッキング・ステーションはポート・レプリケータとも称されうる。あるいはまた、ポート・レプリケータの用語は、限定された機能のドッキング・ステーションを指すのに使われることもありうる。同様に、PDAまたはスマート電話はハードウェアキーボードがついていないことがありうるが、そのPDAまたはスマート電話のために設計された、外部バスのケーブル・コネクタまたはドッキング・ステーションを使ってキーボードに接続されることもありうる。
【発明の開示】
【発明が解決しようとする課題】
【０００２】
ラップトップのための外部周辺機器へのケーブル接続は制限されている。というのも、そのようなケーブルの構築の物理的パラメータおよびそのようなケーブルが運ぶ信号の性質によって長さが制限されているからである。特に、USB実装者フォーラム（USB  Implementers  Forum）から入手可能な『ユニバーサル・シリアル・バス修正2.0仕様書（Universal  Serial  Bus  Revision  2.0  Specification）』で規定されているものや、IEEE1394業界連合（IEEE1394  Trade  Association）ケーブル（ファイアワイヤ［FireWire］）から入手可能ないくつかのIEEE1394仕様書で規定されているもののような、ビデオまたは高速データのような広帯域幅の信号を運ぶケーブルについてはそうである。ドッキング・ステーションはしばしば高価であるが、それは、ラップトップやハンドヘルド・コンピュータのシステム・バスとの接続性を必要とし、複雑で、高価な精密製造された部品を使う大きな多ピン電気コネクタを有することがあるからである。
【発明を実施するための最良の形態】
【０００３】
図１では、プロセッサ・ベースのシステムの二つのコンポーネントの間の、一つの可能な接続方式を描いた実施形態が描かれている。第一のコンポーネント１０５は中央コンポーネントすなわち基本コンポーネントであり、システムのプロセッサを含む。たとえば、コンポーネント１０５は、メインボードを含む、パーソナル・コンピュータ（PC）の「CPU」ユニットでありうる。他の実施例では、コンポーネント１０５は、ラップトップもしくはサーバー・コンピュータまたはシステムのプロセッサを含むプロセッサ・ベースのシステム内のある別のコンポーネントでありうる。このコンポーネントは、外部周辺コンポーネント１４５と通信するが、それに使われる光データは、中央コンポーネントから送信されて周辺機器によって受信されるデータ１２５か、あるいは周辺機器から送信されて中央コンポーネントによって受信されるデータ１２０である。送信は、いくつかの実施形態では、光ケーブルをなす一つまたは複数の光ファイバーを介して、もしくは別の導波路を介して、あるいは他の実施例では空気、真空もしくはガラスといった光伝達性の媒質を通じたいかなる光路を介してでもよい。データ１２０および１２５は、その伝達の一部はファイバーもしくは別の光導波路を介して、その伝達の別の一部は空気、真空もしくはガラスを通じてといった別の型の導波路もしくは別の光路を介して伝搬してもよい。もちろん、コンポーネント１０５および１４５は、別に、電気的または無線周波数リンクによるなど、他の手段によっても接続されていてもよい。
【０００４】
各コンポーネントは、該コンポーネントによって送信および受信される光データとインターフェースするための手段を有する。描かれている実施形態では、中央コンポーネントは光トランシーバ１１５を有し、周辺コンポーネントは別個の光受信機１３０および別個の光送信機１３５を有している。他の実施形態では、中央コンポーネントが別個の送信機および受信機を有し、周辺機器がトランシーバを有していてもよく、あるいは両方のコンポーネントがトランシーバを有していてもよく、あるいは両方のコンポーネントが別個の送信機および受信機を有していてもよい。さらに、図には光通信路が一対示されているが、他の実施形態では、他のコンポーネントでは、二つのコンポーネントの間に複数の光学的接続または光学的に実装された通信チャネルがあってもよい。他の実施形態では、二つのコンポーネントは、一方向のみに伝搬する光学的データのための経路によって接続されていてもよい。すなわち、一方のコンポーネントは送信機のみ、他方には受信機のみを設けるのである。当業者は理解するであろうが、他の多くの構成が可能である。
【０００５】
上で言及したような光送信機・受信機の対が図２に描かれている。光送信機２１０はレーザー発光器であってもよく、実施形態によっては垂直空洞表面発光レーザー（VCSEL:  vertical  cavity  surface  emitting  laser）として実装されてもよいし、あるいはまた実施形態によっては高周波数で切り換えられる発光ダイオード（LED:  light  emitting  diode）として回路の一部として実装されてもよい。光受信機は、一例として、p-i-nすなわちPINダイオードを含んでいてもよいし、別の例では、アバランシェフォトダイオード（APD:  Avalanche  Photo  Diode）検出器コンポーネントおよび回路を含んでいてもよいし、さらに実施形態によっては図２の２３０でのようなトランスインピーダンス増幅器／後置増幅器（TIA/Post-amp）回路を含んでいてもよい。図では、送信機と受信機は光ファイバー２２０によって接続されて示されている。注意されるように、光送信機と光受信機の間では、実施形態によっては、他の媒体を使用してもよく、また、ファイバーと、光伝達性媒体を通じた光路を含む他の媒体との組み合わせを使用してもよい。
【０００６】
他の実施形態では、光送信機および受信機は、図３に抽象的に示されているように単一の回路または集積回路に統合されて、光トランシーバ３１０を形成していてもよい。回路は、VCSELもしくはファブリ・ペロ・レーザーといったレーザー発光器またはLED発光器と、PINダイオードおよびTIA/Pose-amp回路のような関連するサブ回路といった検出器または受信機を含みうる。トランシーバは、図では光ファイバー３２０によって接続されて示されている。ここでもまた、光送信機と光受信機の間では、実施形態によっては、他の媒体を使用してもよく、また、ファイバーと、光伝達性媒体を通じた光路を含む他の媒体との組み合わせも使用してもよい。
【０００７】
図２および図３におけるように、送信機と受信機の間、あるいはトランシーバ間で光学的にエンコードされたデータを伝達するために光ファイバーが使われるとき、ファイバーは、図４において４３０で示されるように、各端にプラグ４２０を有しうるケーブル組立体に統合されうる。図に描かれるように、プラグ４２０は、ソケット４１０と合って、ソケットとファイバーの間およびファイバーとソケットの間を伝搬する光学的データの光学的な結合を許容しうる。図では、各端にプラグおよびソケット機構のある実施形態が示されている。もちろん、当技術分野で知られているように、種々の実施例では、プラグは「雄」または「雌」のプラグのどちらの場合もあり、同様に対応するソケットも「雌」または「雄」のソケットのどちらの場合もある。他の実施形態では、ファイバーの一端は、介在するプラグおよびソケット機構なしに装置に直接組み込まれてもよい。
【０００８】
図４のプラグおよびソケット４２０および４１０は、実施例によっては図３を参照しつつ先に述べた光トランシーバを実装することもあるし、あるいは実施例によっては図２を参照しつつ先に述べた光送信機または受信機を実装することもある。光ファイバー４３０が各端にプラグおよびソケットを有する場合、一端のプラグおよびソケットは機能的に他方と関係がある。よって、ファイバーの一端にあるプラグおよびソケットの組み合わせ４２０および４１０がトランシーバを形成するならば、遠隔端にある他方のプラグおよびソケットの組み合わせもトランシーバである。一方のプラグおよびソケット対が送信機を形成するならば、他方のプラグおよびソケット対は受信機でなければならない。
【０００９】
ある実施形態では、プラグおよびソケット４２０および４１０は、VCSELプラスチック光リンク（VPOL:  VCSEL  plastic  optical  link）のプラグおよびソケットとして実装されうる。それは、金属リードフレームと、導波路およびレンズ作用組立体、たとえば鏡およびレンズ組立体を有するモールドされた精密プラスチック・コンポーネントとを含むモールドされたリードフレーム、ならびに、VCSEL機能、検出器センサーおよび検出器回路を提供する集積回路によって形成される。そのような実施形態は、Brian  K.  Kim  et  al.によって出願され、インテル社に譲渡された米国特許出願第＿＿＿＿号においてさらに記載されている。
【００１０】
ある実施形態では、プラグおよびソケット４２０および４１０がそれぞれ一つのデバイスに接続され、光ファイバーやその他の導波路の介在なしに空気または真空を通じてあるデバイスから別のデバイスへの直接的な光学的伝達を提供しうる。たとえば、図５に示されるように、ラップトップ・ドッキング・ステーションのためのドッキング・コネクタは、図４に示される機構と同様のプラグおよびソケット機構によって実装されうる。
【００１１】
図５では、ラップトップ５０５がドッキング・ステーション５１０とともに示されている。この実施形態では、ラップトップとドッキング・ステーションとの間のデータ通信の少なくとも一部分は、光学的プラグおよびソケット機構５１５を使って行われる。光学的プラグおよびソケットは、ある実施例では、５２０および５３０に示されるように、プラグがラップトップ５２５の基部に組み込まれ、ソケットが５３０でそれに合うドッキング・ステーションの表面に組み込まれるようにして構築されうる。適正に合わされれば、プラグ５３０および５２０における両光トランシーバが整列し、空気を通じて光学的に通信することができ、ラップトップ５０５とドッキング・ステーション５１０との間のデータ通信を許容しうる。いくつかの実施形態では、追加的にドッキング・ステーション５１０とラップトップ５０５との間に電気的接続性も提供されてもよい。電力が、そして実施例によっては何らかのデータもがデバイス間で流れられるようにするためである。他の実施形態では、ラップトップとドッキング・ステーションとを結合させるプラグおよびソケット機構は、光ファイバーのような中間的な導波路を含んでいてもよい。
【００１２】
PDAまたはその他のハンドヘルドの可搬式プロセッサ・ベースのデバイスのドッキングを許容する機構が図６に示されている。この実施形態では、PDA６０５がドッキング・システムに接続されうる。ドッキング・システムは、キーボード部６２０と、コネクタ６１５を介して外部モニタ６１０およびマウス６２５をドッキング・システムに接続するモニタ出力とを含みうる。そのようなシステムは、光学的コネクタ６０７を使ってPDAとドッキング・システムとの間のコンパクトな接続性を提供しうる。このコネクタは、光ファイバーケーブルであってもよいし、あるいは他の導波路であってもよく、図４に記載されるような両端のプラグ・コネクタをもち、ドッキング・ユニット６２０およびPDA６０５には対応するソケットがある。
【００１３】
光学的コネクタ・システムを使った数多くのそのような接続性の解決策が当業者によって実装されうる。一般に、図７に示すように、実施形態は、総合的なプロセッサ・ベースのシステム７００の一部であってもよい。図示したシステムは、プロセッサ７０５、該プロセッサをメモリ７１０に通信的に結合するバス７１２およびハード・ドライブのようなその他の内部記憶７１５を含んでいる。そのようなシステムは、デスクトップパソコン、ラップトップ、サーバー・コンピュータ、その他のコンピュータ、携帯情報端末、スマート電話、ゲーム・コンソールのような娯楽装置または他のプロセッサ・ベースのデバイスでありうる。描かれた実施形態では、前記デバイスは外部周辺機器７２０、７２５および７３０に接続可能である。この外部周辺機器は、いくつかの型の装置のうちの一つまたは複数でありうる。前記システムに接続可能な周辺機器の一つの型は、大容量記憶装置７２０でありうる。これは、多くの例のうちたとえば、当技術分野において知られている、CDもしくはDVD記憶ドライブ、ハード・ディスク・ドライブといったディスク・ドライブ、フラッシュメモリ・ベースの記憶装置のような不揮発性メモリ記憶でありうる。あるいはまた、周辺機器は、当技術分野において知られている、陰極線管（CRT）または液晶ディスプレイ（LCD）またはその他数多くのディスプレイの一つといった表示装置７２５でありうる。他の多くの周辺機器７３０が同様に前記システムに接続可能である。それはたとえばプリンタ、プロッタ、スキャナ、カメラ、オーディオ装置およびさらに多数のものである。
【００１４】
いくつかの実施形態における表示装置７２５に接続されたシステムでは、グラフィック処理ユニット（GPU:  graphics  processing  unit）が、システム７００からのデータを表示のために処理するために使用されうる。一般に、システム７４０のベース・コンポーネントと外部周辺機器との間の相互接続７３５はそれぞれ、この実施形態では、光データリンクとして実装されることができ、そのそれぞれは上述したような光学的コネクタでありうる。いくつかの実施形態では、相互接続７３５は追加的に、一つまたは複数の線を通じて電力および電子データを運びうる。こうして、たとえば、いくつかの実施形態では、リンク７３５は、一端または両端にプラグおよびソケット・コネクタをもつ光ファイバー・ベースのケーブルであってもよいし、あるいは他の実施形態では、周辺機器が前記システムと機械的および光学的に直接合わさることを許容するためのプラグおよびソケット・コネクタをもつドッキング・コネクタであってもよい。もちろん、種々の実施形態において、図７に示されている内部コンポーネント、組織および周辺機器の数多くの変形が可能である。
【００１５】
以上の記述では、説明の目的のため、記載される諸実施形態の完全なる理解を提供するための数多くの個別的な詳細が述べられているが、当業者はこれらの個別的な詳細がなくても他の多くの実施形態が実施されうることを理解するであろう。
【００１６】
上記では光学的プラグおよびコネクタの実施形態に関係して、モールドされたプラスチック、リードフレームおよび金属コンポーネントの使用が記載されているが、諸コンポーネントのための光学的インターフェースを提供するためには他の多くの製造技法および材料が使用されうる。
【００１７】
実施形態の記述では、付属の図面を参照していることがある。図面においては、同様の符号はいくつかのビューを通じて実質的に同様のコンポーネントを表す。他の実施形態を利用することもでき、構造的、論理的および電気的な変更を施すこともできる。さらに、さまざまな実施形態は異なってはいるが、必ずしも排反ではないことは理解しておくべきである。たとえば、ある実施形態において記載されている特定の特徴、構造または特性が他の実施形態内に含められることもできる。
【００１８】
さらに、ある実施形態の設計は、創造（creation）からシミュレーションへ、さらに製造へとさまざまな段階を通過しうる。ある設計を表すデータは、該設計をいくつかの仕方で表しうる。第一に、シミュレーションにおいて有用なように、ハードウェアは、ハードウェア記述言語または別の機能記述言語を使って表されてもよい。さらに、論理および／またはトランジスタ・ゲートをもつ回路レベルのモデルが設計・プロセスの何らかの段階で生成されてもよい。さらに、たいていの設計は、何らかの段階で、ハードウェア・モデルにおけるさまざまなデバイスの物理的な配置を表すデータのレベルに達しうる。通常の半導体製造技法が使用される場合、ハードウェア・モデルを表すデータは、集積回路を製造するために使われる諸マスクのための異なるマスク層の上のさまざまな特徴の存在または不在を指定するデータであってもよい。設計のいかなる表現においても、データはいかなる形の機械可読媒体に保存されてもよい。該機械可読媒体は、変調されているか他の仕方で情報を伝達するよう生成されている光学的もしくは電気的な波、メモリまたはディスクのような磁気的もしくは光学的記憶であってもよい。これらの媒体のいずれも、前記設計またはソフトウェア情報を「運ぶ（carry）」あるいは「示す（indicate）」ことができる。コードまたは設計を示すか運ぶかする電気的搬送波が送信されるとき、その電気信号のコピー、バッファリングまたは再送信が実行される限りにおいて、新たなコピーが作られている。こうして、通信プロバイダーまたはネットワーク・プロバイダーは、実施形態をなす、または実施形態を表す物（搬送波）のコピーを作りうる。
【００１９】
諸実施形態は、少なくとも部分的には、機械によってアクセスされたときに、該機械をして特許請求される主題に従ったプロセスを実行せしめることのできるデータが記憶された機械可読媒体を含みうるプログラム・プロダクトとして提供されてもよい。機械可読媒体は、これに限られないが、フロッピー（登録商標）・ディスケット、光ディスク、DVD-ROMディスク、DVD-RAMディスク、DVD-RWディスク、DVD+RWディスク、CD-Rディスク、CD-RWディスク、CD-ROMディスクおよび光磁気ディスク、ROM、RAM、EPROM、EEPROM、磁気もしくは光学式カード、フラッシュメモリまたは電子命令を記憶するのに好適なその他の種類の媒体／機械可読媒体を含みうる。さらに、諸実施形態はプログラム・プロダクトとしてダウンロードされてもよい。ダウンロードでは、プログラムはリモート・データ・ソースから要求元デバイスに、搬送波またはその他の伝搬媒体の形のデータ信号として通信リンク（たとえばモデムまたはネットワーク接続）を介して転送されうる。
【００２０】
諸方法の多くは、その最も基本的な形で記載されているが、特許請求される主題の基本的な範囲から外れることなく、諸方法のいずれについてもステップを追加したり削除したりでき、記載されるメッセージのいずれについても情報を加えたり減じたりできる。当業者には、多くのさらなる修正および適応ができることは明らかであろう。具体的な実施形態は特許請求される主題を限定するためではなく、例解するために提供されているものである。特許請求される主題の範囲は、上記に提供されている個別的な例によって決定されるのではなく、請求項によって決定される。
【図面の簡単な説明】
【００２１】
【図１】ある実施形態における、光学式インターフェースを介してデータを通信する、プロセッサ・ベースのシステムの中央コンポーネントおよび周辺コンポーネントを描いた図である。
【図２】ある実施形態における、光ファイバーによって接続された光送信機および光受信機を描いた図である。
【図３】ある実施形態における、光ファイバーによって接続された二つの光トランシーバを描いた図である。
【図４】ある実施形態における、光ファイバーによって接続された二つの光学的プラグおよびソケット対を描いた図である。
【図５】ある実施形態における、ラップトップ・ドッキング接続のブロック図を描いた図である。
【図６】ある実施形態における、PDAのためのドッキング・ステーションを描いた図である。
【図７】ある実施形態における、プロセッサ・ベースのシステムを描いた図である。
【図１】
2008525922.tif 000003
【図２】
2008525922.tif 000004
【図３】
2008525922.tif 000005
【図４】
2008525922.tif 000006
【図５】
2008525922.tif 000007
【図６】
2008525922.tif 000008
【図７】
2008525922.tif 000009
【国際調査報告】
2008525922.tif 000010
2008525922.tif 000011